(57)【特許請求の範囲】
【請求項１】
操作制御部と、演奏制御手段と、媒体インタフェースと、中央制御部を備えるカラオケ装置であって、
操作制御部は、利用者から演奏する楽曲ＩＤを受け付け可能であるとともに、各種操作に応じた操作制御情報を受け付け可能とし、
演奏制御手段は、音楽生成データの演奏を行うとともに、与えられる操作制御情報に従って演奏状態を制御し、
媒体インタフェースは、記憶手段を着脱自在に装着可能とし、
中央制御部は、操作制御部が受け付けた楽曲ＩＤに対応する音楽生成データを演奏制御手段に演奏させるとともに、操作履歴作成処理と、操作再現処理を可能とし、
操作履歴作成処理は、音楽生成データの演奏中、受け付けた操作制御情報を時系列に、かつ、当該音楽生成データの楽曲ＩＤに対応付けて操作履歴データとして記憶手段に記憶させ、
操作再現処理は、音楽生成データの演奏中、当該音楽生成データの楽曲ＩＤに対応する操作履歴データの操作制御情報を読み出して演奏制御手段に時系列に与える
カラオケ装置。
【請求項２】
操作制御部と、演奏制御手段と、歌唱音声制御手段と、媒体インタフェースと、中央制御部を備えるカラオケ装置であって、
操作制御部は、利用者から演奏する楽曲ＩＤを受け付け可能であるとともに、各種操作に応じた操作制御情報を受け付け可能とし、
演奏制御手段は、音楽生成データの演奏を行い、
歌唱音声制御手段は、与えられる操作制御情報に従ってマイクロホンから入力される歌唱音声の音響出力状態を制御し、
媒体インタフェースは、記憶手段を着脱自在に装着可能とし、
中央制御部は、操作制御部が受け付けた楽曲ＩＤに対応する音楽生成データを演奏制御手段に演奏させるとともに、操作履歴作成処理と、操作再現処理を可能とし、
操作履歴作成処理は、音楽生成データの演奏中、受け付けた操作制御情報を時系列に、かつ、当該音楽生成データの楽曲ＩＤに対応付けて操作履歴データとして記憶手段に記憶させ、
操作再現処理は、音楽生成データの演奏中、当該音楽生成データの楽曲ＩＤに対応する操作履歴データの操作制御情報を読み出して歌唱音声制御手段に時系列に与える
カラオケ装置。
【請求項３】
操作制御部と、演奏制御手段と、中央制御部を備えるカラオケ装置であって、
操作制御部は、利用者から演奏する楽曲ＩＤと個人ＩＤを対応付けて受け付け可能であるとともに、各種操作に応じた操作制御情報を受け付け可能とし、
演奏制御手段は、音楽生成データの演奏を行うとともに、与えられる操作制御情報に従って演奏状態を制御し、
中央制御部は、操作制御部が受け付けた楽曲ＩＤに対応する音楽生成データを演奏制御手段に演奏させるとともに、操作履歴作成処理と、操作再現処理を可能とし、
操作履歴作成処理は、音楽生成データの演奏中、受け付けた操作制御情報を時系列に、かつ、当該音楽生成データの楽曲ＩＤとその個人ＩＤに対応付けて操作履歴データとして記憶手段に記憶させ、
操作再現処理は、音楽生成データの演奏中、当該音楽生成データの楽曲ＩＤとその個人ＩＤに対応する操作履歴データの操作制御情報を読み出して演奏制御手段に時系列に与える
カラオケ装置。
【請求項４】
操作制御部と、演奏制御手段と、歌唱音声制御手段と、中央制御部を備えるカラオケ装置であって、
演奏制御手段は、音楽生成データの演奏を行い、
操作制御部は、利用者から演奏する楽曲ＩＤと個人ＩＤを対応付けて受け付け可能であるとともに、各種操作に応じた操作制御情報を受け付け可能とし、
歌唱音声制御手段は、与えられる操作制御情報に従ってマイクロホンから入力される歌唱音声の音響出力状態を制御し、
中央制御部は、操作制御部が受け付けた楽曲ＩＤに対応する音楽生成データを演奏制御手段に演奏させるとともに、操作履歴作成処理と、操作再現処理を可能とし、
操作履歴作成処理は、音楽生成データの演奏中、受け付けた操作制御情報を時系列に、かつ、当該音楽生成データの楽曲ＩＤとその個人ＩＤに対応付けて操作履歴データとして記憶手段に記憶させ、
操作再現処理は、音楽生成データの演奏中、当該音楽生成データの楽曲ＩＤとその個人ＩＤに対応する操作履歴データの操作制御情報を読み出して演奏制御手段に時系列に与える
カラオケ装置。
【発明の詳細な説明】
【０００１】
【発明の属する技術分野】
本発明はカラオケ装置に関し、とくに、利用者入力に従って伴奏音楽の演奏状態や歌唱音声の音響状態を適宜に制御するカラオケ装置に関する。
【０００２】
【従来の技術】
＜カラオケ装置の構成＞
ＭＩＤＩデータを処理するタイプのカラオケ装置を従来例として挙げ、図１にそのカラオケ装置の機能ブロック図を示した。中央制御部２は、内部にＣＰＵ、ＲＡＭ、ＲＯＭを含むマイコンであり、データバス１００や制御バス１１０を介して周辺各構成部とデータ通信を行い、このカラオケ装置１ａを統括している。ハードディスク装置３は、多数曲分のカラオケ楽曲について、ＭＩＤＩ形式によって記述されたカラオケ伴奏音楽の起源となる音楽生成データと、その楽曲演奏に同期して描出する歌詞画像の生成起源となる歌詞描出データとを格納している。
【０００３】
歌詞描出データは、全歌詞文字を適宜な小節ごとに区切って文字列とし、その文字列の表示／消去順序（歌詞描出シーケンス）や文字列の表示位置などの情報と、各文字列の表示／消去タイミングや文字列中の各文字における色変えタイミング（歌唱時機指示）などの各情報を記述している。
【０００４】
また、ＣＤ−ＲＯＭチェンジャ１３は、歌詞画像の背景として使用されるムード映像の生成起源となる長時間分の映像データ（ＭＰＥＧ１形式など）を多数のＣＤ−ＲＯＭに分割して格納している。そして、ＣＤ−ＲＯＭ駆動装置と映像データの復号回路とを含んだ１系統あるいは複数系統のプレーヤを内蔵している。このＣＤ−ＲＯＭチェンジャ１３は、中央制御部２の制御の下、適宜なＣＤ−ＲＯＭを内蔵のプレーヤにて駆動し、そのＣＤ−ＲＯＭの適宜な記録位置に記録されている映像データを復号してムード映像の映像信号として出力する動作を行う。
【０００５】
＜基本演奏動作＞
中央制御部２は、リモコン送信器５や操作パネル６などのユーザインタフェースにて指定入力されたリクエスト楽曲の楽曲番号を操作制御部７を介して受け取ると、その入力順と楽曲番号とを対応づけてＲＡＭに格納することで、この楽曲の演奏予約処理を行う。その楽曲の演奏順番になると、ハードディスク装置３より該当の音楽生成データと歌詞描出データとを取り出して処理する。音楽生成データはシンセサイザ８に順次転送され、ここで生成された伴奏音楽の音声信号（楽曲音声信号）は、マイクロホン１１から入力された音声信号（歌唱音声信号）とともにミキシングアンプ９に入力され、その混合音声信号がスピーカ１０から出力される。
【０００６】
一方、歌詞描出データを音楽生成データの処理に同期して処理し、伴奏音楽に同期した歌詞画像を生成してビデオＲＡＭ１２に順次ビットマップ展開する。映像制御部１４は、この歌詞画像をＣＤ−ＲＯＭチェンジャ１３が再生する適宜なムード映像の映像信号にスーパーインポーズし、歌詞画像入りのムード映像をディスプレイ１５に表示出力する。
【０００７】
＜演奏制御機能と歌唱音声制御機能＞
よく知られているように、カラオケ装置は、利用者入力に従って伴奏音楽の演奏状態や歌唱音声の音響出力状態を制御する機能を備えている。伴奏音楽に対する制御（演奏制御）としては、音量制御・音質制御・テンポ制御・ピッチ（キー）制御・残響成分（エコー）付加、さらには所定の音源パート（例えば主旋律：ガイドメロディ）のみの音声信号を生成あるいは非生成とするなど、楽曲音声信号自体が改変される制御（楽曲音声制御）と、演奏の一時中断や再開、特定区間の繰り返し演奏など、楽曲の進行に関わる制御（演奏シーケンス制御）とがある。歌唱音声に対する制御（歌唱音声制御）としては、音量制御・音質制御・音程制御・エコー付加などがある。
【０００８】
楽曲音声制御は、シンセサイザ８によってＭＩＤＩデータの処理方法を変えたり、データ自体を書き直したりして、楽曲音声信号の生成時点で伴奏音楽を改変する方式（音楽生成データ処理方式）と、生成されたアナログの楽曲音声信号を処理する方式（音声信号処理方式）とがある。
【０００９】
音楽生成データ処理方式は、例えば、シンセサイザ８が伴奏音を記述するＭＩＤＩデータのベロシティとノート番号を書き換えれば、生成される伴奏音楽の音量とキーが変化する。ある伴奏音を記述したデータを時間をずらして２回処理するとともに、２回目の処理時にベロシティ値を減少させれば「ＭＩＤＩエコー」と呼ばれる残響成分に相当する楽曲音声信号が生成される。また、シンセサイザ８は、１拍の時間を所定のクロック数を計数することで規定してるので、このクロック周波数を変えればテンポを制御することができる。
【００１０】
一方、音声信号処理方式としては、音量や音質（高音・低音の強調など）の調整、エコー付加処理など、音声信号をアナログ処理する方式がよく知られているが、最近では、ＤＳＰ（Ｄｉｇｉｔａｌ  Ｓｉｇｎａｌ  Ｐｒｏｃｅｓｓｏｒ）を使用して、先の音量・音質・エコーに加え、テンポや音程も制御する方式もある。これは、アナログの音声信号をＡ／Ｄ変換するとともにこれをサンプリングしてデジタル音声データとし、そのデジタル音声データを専用のＤＳＰで処理する。このＤＳＰは、入力したデジタル音声データを処理して、音響属性（音量・テンポ・音程・残響成分など）が異なるデジタル音声データに変換する。この変換／処理されたデジタル音声データをＤ／Ａ変換すれば種々の属性を伴った伴奏音楽が音響出力される。なお、上述の音声信号処理方式は歌唱音声制御にも適用される。
【００１１】
演奏シーケンス制御は、中央制御部２が利用者入力に従って、シンセサイザ８へのＭＩＤＩデータ転送処理を休止／再回したり、音楽生成データ中にあらかじめ設定されている繰り返し演奏部分（一般的には「サビ」部分）を繰り返して転送するなど音楽生成データの転送処理を適宜に変更して、演奏の休止・再回・繰り返しを制御するものである。
【００１２】
利用者がリモコン送信器５などの適宜なユーザインタフェースを使用して上記各制御機能における設定値などを入力すると、中央制御部２は操作制御部７を介してその入力情報を操作制御情報として受け取る。そして、利用者が入力した設定値に相当するデータや制御信号をシンセサイザ８やミキシングアンプ９など適宜な周辺構成部に送信したり、音楽生成データの転送処理を変更したりする。
【００１３】
【発明が解決しようとする課題】
本来、上述した演奏制御機能や音声信号制御機能は、カラオケ楽曲本来のキーやテンポを歌唱者に合ったキーやテンポに調整したり、歌唱音声にエコーを付加したりして、「上手に見せる」あるいは「下手に見せない」ための「補助機能」として使用されることを目的としていた。
【００１４】
しかし、カラオケが大衆娯楽として広く普及した現在、前記各制御機能は、歌唱者が自身の個性を同伴者にアピールしたり、場を盛り上げたりするためのエンターテイメント用途に使用されるようになってきた。例えば、情感を込めてじっくり同伴者に歌唱を聞かせたい場合は、歌唱中に演奏テンポを遅くするとともにエコーの歌唱音量を上げ、低音を増強する。サビの部分など、同伴者の唱和を誘って場を盛りあげたい場合は、エコーを押さえて高音を増強させる。可能であればそのサビ部分を繰り返して演奏させる。このように演奏制御機能や歌唱音声制御機能が本来の目的とは異なる使い方をされるようになってきた。
【００１５】
このようにカラオケ装置の各種制御機能を「駆使」するには、歌唱者がリモコン送信器を持つなどして、演奏中に各種制御機能を操作しながら歌唱しなくてはならない。これでは操作のタイミングが演奏機会ごとに異なる可能性が高く、一度はうまくいって場を盛り上げることができても、２度目は失敗したり演奏し直したりして、逆に場を白けさせてしまう可能性がある。
【００１６】
確かに、特開平８−６３１７８号公報や特開平９−１１４４７５号公報にはテンポや音程のシフト量など各制御機能における設定値をあらかじめ楽曲に対応付けしてＩＣカードやカラオケ装置側に記憶させ、歌唱時にその設定値を呼び出して該当の楽曲を演奏するカラオケ装置についての技術が開示されている。しかし、これらの技術は、演奏開始前に各制御機能に固定的な設定値を与えるだけのものであり、歌唱者が演奏中に各制御機能を「駆使」するといった用途には到底対応できない。
【００１７】
そこで本発明は、ある楽曲の演奏中に任意になされた各種制御の操作状態を記憶して再現できるカラオケ装置を提供することを目的としている。
【００１８】
【課題を解決するための手段】
第１の発明に係るカラオケ装置は、つぎの事項（11）〜（17）により特定されるものである。
（11）操作制御部と、演奏制御手段と、媒体インタフェースと、中央制御部を備えるカラオケ装置であって、
（12）操作制御部は、利用者から演奏する楽曲ＩＤを受け付け可能であるとともに、各種操作に応じた操作制御情報を受け付け可能とし、
（13）演奏制御手段は、音楽生成データの演奏を行うとともに、与えられる操作制御情報に従って演奏状態を制御し、
（14）媒体インタフェースは、記憶手段を着脱自在に装着可能とし、
（15）中央制御部は、操作制御部が受け付けた楽曲ＩＤに対応する音楽生成データを演奏制御手段に演奏させるとともに、操作履歴作成処理と、操作再現処理を可能とし、
（16）操作履歴作成処理は、音楽生成データの演奏中、受け付けた操作制御情報を時系列に、かつ、当該音楽生成データの楽曲ＩＤに対応付けて操作履歴データとして記憶手段に記憶させ、
（17）操作再現処理は、音楽生成データの演奏中、当該音楽生成データの楽曲ＩＤに対応する操作履歴データの操作制御情報を読み出して演奏制御手段に時系列に与える。
【００１９】
第２の発明に係るカラオケ装置は、つぎの事項（21）〜（28）により特定されるものである。
（21）操作制御部と、演奏制御手段と、歌唱音声制御手段と、媒体インタフェースと、中央制御部を備えるカラオケ装置であって、
（22）操作制御部は、利用者から演奏する楽曲ＩＤを受け付け可能であるとともに、各種操作に応じた操作制御情報を受け付け可能とし、
（23）演奏制御手段は、音楽生成データの演奏を行い、
（24）歌唱音声制御手段は、与えられる操作制御情報に従ってマイクロホンから入力される歌唱音声の音響出力状態を制御し、
（25）媒体インタフェースは、記憶手段を着脱自在に装着可能とし、
（26）中央制御部は、操作制御部が受け付けた楽曲ＩＤに対応する音楽生成データを演奏制御手段に演奏させるとともに、操作履歴作成処理と、操作再現処理を可能とし、
（27）操作履歴作成処理は、音楽生成データの演奏中、受け付けた操作制御情報を時系列に、かつ、当該音楽生成データの楽曲ＩＤに対応付けて操作履歴データとして記憶手段に記憶させ、
（28）操作再現処理は、音楽生成データの演奏中、当該音楽生成データの楽曲ＩＤに対応する操作履歴データの操作制御情報を読み出して歌唱音声制御手段に時系列に与える。
【００２０】
第３の発明に係るカラオケ装置は、つぎの事項（31）〜（36）により特定されるものである。
（31）操作制御部と、演奏制御手段と、中央制御部を備えるカラオケ装置であって、
（32）操作制御部は、利用者から演奏する楽曲ＩＤと個人ＩＤを対応付けて受け付け可能であるとともに、各種操作に応じた操作制御情報を受け付け可能とし、
（33）演奏制御手段は、音楽生成データの演奏を行うとともに、与えられる操作制御情報に従って演奏状態を制御し、
（34）中央制御部は、操作制御部が受け付けた楽曲ＩＤに対応する音楽生成データを演奏制御手段に演奏させるとともに、操作履歴作成処理と、操作再現処理を可能とし、
（35）操作履歴作成処理は、音楽生成データの演奏中、受け付けた操作制御情報を時系列に、かつ、当該音楽生成データの楽曲ＩＤとその個人ＩＤに対応付けて操作履歴データとして記憶手段に記憶させ、
（36）操作再現処理は、音楽生成データの演奏中、当該音楽生成データの楽曲ＩＤとその個人ＩＤに対応する操作履歴データの操作制御情報を読み出して演奏制御手段に時系列に与える。
【００２１】
第４の発明に係るカラオケ装置は、つぎの事項（41）〜（47）により特定されるものである。
（41）操作制御部と、演奏制御手段と、歌唱音声制御手段と、中央制御部を備えるカラオケ装置であって、
（42）演奏制御手段は、音楽生成データの演奏を行い、
（43）操作制御部は、利用者から演奏する楽曲ＩＤと個人ＩＤを対応付けて受け付け可能であるとともに、各種操作に応じた操作制御情報を受け付け可能とし、
（44）歌唱音声制御手段は、与えられる操作制御情報に従ってマイクロホンから入力される歌唱音声の音響出力状態を制御し、
（45）中央制御部は、操作制御部が受け付けた楽曲ＩＤに対応する音楽生成データを演奏制御手段に演奏させるとともに、操作履歴作成処理と、操作再現処理を可能とし、
（46）操作履歴作成処理は、音楽生成データの演奏中、受け付けた操作制御情報を時系列に、かつ、当該音楽生成データの楽曲ＩＤとその個人ＩＤに対応付けて操作履歴データとして記憶手段に記憶させ、
（47）操作再現処理は、音楽生成データの演奏中、当該音楽生成データの楽曲ＩＤとその個人ＩＤに対応する操作履歴データの操作制御情報を読み出して演奏制御手段に時系列に与える。
【００２２】
【発明の実施の形態】
＝＝＝概略＝＝＝
本発明のカラオケ装置は、ある楽曲の演奏中に利用者が前記演奏制御機能や歌唱音声制御機能の操作状態をその楽曲に対応付けして記録し、次回に同じ楽曲を演奏するとき、記録したその操作状態を再現して伴奏音楽の演奏状態や歌唱音声の音響出力状態を制御する操作履歴再現機能を備えている。
【００２３】
本発明の実施例におけるカラオケ装置は、楽曲ごとにその演奏時における操作状態を記述した操作履歴データをＩＣカードに記録するとともに、そのＩＣカードに記録されている操作履歴データに基づいて利用者が指定した楽曲の演奏時に以前の操作状態を自動的に再現することとしている。なお、ＩＣカードはカラオケ事業者が顧客に配布するなどして、利用者が個別に所持しているものとする。
【００２４】
図２は本実施例のカラオケ装置の機能ブロック図を示している。このカラオケ装置１ｂは、従来のカラオケ装置とほぼ同じハードウエア構成を採用している。ＩＣカード２０を着脱自在に装着するＩＣカードスロット２１と、そのスロット２１に装着されたＩＣカード２０と中央制御部２とのデータ通信を仲介するＩＣカードインタフェース（Ｉ／Ｆ）２２とを備えている点が異なっている。そして、このハードウエア構成とソフトウエアの変更とによって操作履歴再現機能を実現している。
【００２５】
＝＝＝操作履歴データの作成＝＝＝
利用者は、操作履歴再現機能を使用するために、まず、再現したい操作状態を登録する。利用者がリモコン送信器５や操作パネル６にて、ある楽曲の演奏指定と、その楽曲の演奏時における操作状態を登録する旨の指示とを入力する。本実施例では、前記ユーザインタフェース（５，６）に操作状態の登録指示をするための操作キーが配設されており、中央制御部２は、楽曲番号に引き続いてそのキーが押されたことを操作制御部７を介して認知すると、該当楽曲を操作状態登録曲として演奏予約する。もちろん、ユーザインタフェースに特別な操作キーを設けなくても、例えば、ＩＣカード２０が装着されると無条件に指定楽曲を操作状態登録曲として演奏予約する方式を採用してもよい。
【００２６】
中央制御部２は、操作状態登録曲の演奏順番になると、ＩＣカードＩ／Ｆ２２を介してＩＣカード２０にアクセスし、メモリ容量などを調査する。ＩＣカード２０が非装着であったりメモリ容量が足らないときはその旨をディスプレイ１５に表示するなどして利用者にＩＣカード２０の装着や交換を促す。操作履歴データの記録が可能なＩＣカード２０が装着されていることを確認すると、該当の音楽生成データの処理を開始し、演奏開始時点を起点とした経過時間を計測する。本実施例では、演奏開始時点からの拍数をカウントし、そのカウント値によって経過時間を表すこととしている。そして、利用者が演奏中にユーザインタフェース（５、６）より入力した操作情報をその入力時点における拍数に対応付けしてＲＡＭなどに逐次記録していく。演奏終了時点で、この演奏機会に記録された全操作情報とそのそれぞれの入力タイミング（拍数）とを演奏した楽曲に対応付けして操作履歴データを作成し、これをＩＣカード２０に格納する。図３にこの操作履歴データの概略構造を示した。各タイミング時点において操作されたキーや設定値が対応付けされている。
【００２７】
なおこの実施例に限らず、演奏予約登録楽曲と一般の予約楽曲とを区別しないで全ての演奏楽曲について操作情報とその入力タイミングとを記録し、演奏終了後にＩＣカード２０への格納を指示するための利用者入力を受け付けて操作履歴データを作成／格納するようにしてもよい。
【００２８】
＝＝＝操作制御の再現＝＝＝
操作履歴データが記録されているＩＣカード２０をＩＣカードスロット２１に装着した状態である楽曲が演奏予約登録されると、中央制御部２は、ＩＣカード２０にアクセスしてメモリ内に格納されている操作履歴データを調査する。そして、指定楽曲に対応する操作履歴データがＩＣカード２０に格納されていることを認知すると、その楽曲を操作制御楽曲として演奏予約する。
【００２９】
中央制御部２は、操作制御楽曲の演奏順番になると、ＩＣカード２０からその楽曲に対応の操作履歴データを読み出して内部のＲＡＭに格納する。該当の音楽生成データの処理を開始すると、演奏開始時点を起点として拍数をカウントする。操作履歴データ中に記述されている拍数のカウント時点になると、その時点に対応付けされている操作情報に従って音楽生成データの転送処理を適宜に行ったり、各構成部に対してデータや制御信号を送出したりして、伴奏音楽の演奏状態や歌唱音声の音響出力状態を可変制御していく。なお、この実施例では、各タイミング時点に対応付けされている操作情報は、その操作情報の設定を解除する操作情報が記述されていない限りは維持されることとしている。
【００３０】
＝＝＝その他、変更例・応用例＝＝＝
操作履歴データの記憶媒体としてはＩＣカードに限らずフロッピーディスク、ＣＤ−Ｒ、ＣＤ−ＲＷなど適宜な媒体を採用することができる。もちろん、ハードディスク装置に格納することも可能である。また、適宜な無線通信機器（例えばリモコン送信器や携帯電話機など）に操作履歴データ格納用の記憶媒体やメモリを装着・実装し、カラオケ装置と無線通信機器とがＩｒＤＡなどの適宜な無線インタフェース介して操作履歴データを送受信する形態も考えられる。
【００３１】
記憶媒体に格納済みの操作履歴データと新規に格納すべき操作履歴データとが同じ楽曲に対応付けされている場合、新規なデータで上書き保存してもよいし、重複格納してもよい。重複格納する場合には、例えば、各操作履歴データを名前の異なるファイルとして格納するなどして、各操作履歴データを異なる識別子で管理し、データごとにファイル名などを自動生成、あるいは利用者入力を促して適宜に命名すればよい。そして、特定の操作履歴データを指定可能とするために、データの作成日時やデータ名などを選択可能に表示するためのユーザインタフェース環境を用意すればよい。
【００３２】
異なる利用者が同じ記憶媒体に操作履歴データを格納する場合もある。このような場合には利用者ごとに個人ＩＤを付与し、操作履歴データの作成機会にその個人ＩＤを入力し、それを操作履歴データに含めればよい。そして、ユーザインタフェースが個人ＩＤと楽曲ＩＤの指定入力を受け付け、操作制御楽曲の演奏時にそれら双方のＩＤに対応付けされている操作履歴データを採用すればよい。なお、パーソナルリモコンと呼ばれる個人所有のリモコン送信器が利用できるカラオケ装置であれば、各パーソナルリモコンから送出される固有のリモコンＩＤを個人ＩＤとして利用できる。このパーソナルリモコンから演奏予約指示を行えば、個人ＩＤを別途入力する必要がなくなる。
【００３３】
周知の通信カラオケシステムの端末となるカラオケ装置はネットワークに接続され、サーバーコンピュータなど、ネットワーク上の他のコンピュータと通信する機能を備えている。そして、音楽生成データのダウンロードやリクエスト状況のアップロードなど、各種データ通信処理を実行している。カラオケ装置にモデムなどの通信インタフェースがあり、かつ、ファイル名や個人ＩＤなどによって多数の操作履歴データから特定のデータを識別可能とするデータ管理方式を採用すれば、操作履歴データの格納場所としてネットワークに接続された所定のサーバーコンピュータを利用することも考えられる。
【００３４】
【発明の効果】
本発明によれば、ある楽曲の演奏中に利用者入力された操作状況を記憶し、その楽曲を再度演奏する際には先に記憶した操作状況を自動的に再現することができる。したがって、楽曲の演奏状態や歌唱音声の音響出力状態を利用者の好みによってアレンジしたとき、そのアレンジ状態を再現するための操作履歴データを記憶することができる。利用者は成功を収めた効果的なアレンジを操作履歴データとして保存しておけば、全ての歌唱機会でそのアレンジで演奏／歌唱することができ、確実に場を盛り上げることができる。そのため、カラオケ装置の娯楽性をさらに向上させ、カラオケ施設にとっては、新規顧客の獲得やリピータの増加により、収益増が期待できる。
【００３５】
操作履歴データを着脱可能な記憶媒体に格納することで、異なるカラオケ装置でも演奏状態などを再現することができる。また、操作履歴データに利用者を識別する個人ＩＤを含ませれば、同じ記憶媒体に多人数分の操作履歴データを識別可能に格納しておくことができる。また、カラオケ装置が通信カラオケシステムの端末であれば、ネットワークに接続されたサーバーコンピュータなどに操作履歴データを集約管理することもでき、カラオケ装置がネットワークに接続されていれば、記憶媒体を持ち歩かなくても、操作履歴データを装置や場所に依存することなく利用することができる。
【図面の簡単な説明】
【図１】従来例としてあげたカラオケ装置の機能ブロック図である。
【図２】本発明の実施例として挙げたカラオケ装置の機能ブロック図である。
【図３】上記実施例にて生成／処理される操作履歴データの概略構成図である。
【符号の説明】
１ａ、１ｂ  カラオケ装置
２  中央制御部
３  ハードディスク装置
８  シンセサイザ
９  ミキシングアンプ
２０  ＩＣカード
２１  ＩＣカードスロット
２２  ＩＣカードインタフェース
【図１】
0003547385.tif 000002
【図２】
0003547385.tif 000003
【図３】
0003547385.tif 000004